(57)【要約】【課題】扉の厚みを薄く維持したまま把手部の発汗を防止できる冷蔵庫の提供。【解決手段】冷蔵庫本体の扉はガラス板２５と、扉外装板の内側に位置する内フレーム２３と、ガラス板と内フレームとの間の外周面を構成する縁枠２４と、ガラス板と内フレームと縁枠との間の空間に充填発泡させた発泡断熱材２９とからなっていて、前記発泡断熱材中に真空断熱材３０を有しており、更に前記縁枠に発泡断熱材中へ窪ませて把手部３１を凹設形成するとともに、前記真空断熱材の端部を前記把手部の奥壁内面と対向する部分まで位置させた構成としてある。これにより、扉は真空断熱材を設けたことによってその厚さを薄くできるとともに、把手部の内面側は真空断熱材によって強力に断熱され、庫内冷気によって低温化して発汗するようなことを防止することができる。【選択図】図５
2015052404.tif 000002
【特許請求の範囲】
【請求項１】
断熱性を有する冷蔵庫本体と扉からなり、上記扉は、その扉前面を構成する扉外装板と、扉外装板の内側に位置する内フレームと、前記扉外装板と内フレームとの間の外周面を構成する縁枠と、前記扉外装板と内フレームと縁枠との間の空間に充填発泡させた発泡断熱材とからなっていて、前記発泡断熱材中に真空断熱材を埋設した冷蔵庫であって、前記縁枠に発泡断熱材中へ窪ませて把手部を凹設形成するとともに、前記真空断熱材の端部を前記把手部の奥壁内面と対向する部分まで位置させたことを特徴とする冷蔵庫。
【請求項２】
扉は引出レールを有するとともに、真空断熱材は斜めに配置して前記引出レールの取付金具を避けた状態でその端部が把手部の奥壁内面に位置する構成とした請求項１記載の冷蔵庫。
【請求項３】
把手部の奥壁内面に熱拡散層を設けたことを特徴とする請求項１または２記載の冷蔵庫。
【請求項４】
扉外装板はガラス板等の着色層付きの透明前板で構成するとともに発泡断熱材は発泡ウレタンとし、前記透明前板は発泡ウレタンによって接着保持してその外周部は透明前板挿入部等で覆うことなくそのまま露出状態とした請求項１〜３のいずれか１項記載の冷蔵庫。
【発明の詳細な説明】
【技術分野】
【０００１】
本発明は冷蔵庫に関し、特に冷蔵庫の扉構成に関するものである。
【背景技術】
【０００２】
一般にこの種の冷蔵庫は、断熱性を有する冷蔵庫本体内に冷蔵室、冷凍室、野菜室等を設け、これら各冷蔵室、冷凍室、野菜室等は扉によって開閉可能に構成してある。
【０００３】
上記扉は、冷蔵庫本体の前面となる前板と、冷蔵室、冷凍室、野菜室等の内面となる内フレームと、これら前板と内フレームとを一体に連結する枠体との間にウレタン等の発泡断熱材を充填発泡させて、冷蔵庫本体と同様断熱性を有するように構成してある。
【０００４】
このような冷蔵庫にあって、最近は扉の断熱性を向上させるため前記発泡断熱材中に真空断熱材を埋設したものが見られるようになってきた（例えば、特許文献１参照）。
【０００５】
図８は上記特許文献１に記載されている扉を示し、扉１０１は外板１０２と内フレーム１０３と縁枠１０４とこれらの間に充填した発泡断熱材１０５とから構成されていて、前記発泡断熱材１０５中には真空断熱材１０６が埋設してある。なお、この真空断熱材１０６はプラスチック製の短冊状支持部材１０７によって所定位置に保持されている。
【先行技術文献】
【特許文献】
【０００６】
【特許文献１】特許第５１９３９８０号公報
【発明の概要】
【発明が解決しようとする課題】
【０００７】
上記従来の構成によれば、発泡断熱材１０５中に断熱性の高い真空断熱材１０６が埋設してあるので扉の断熱性が向上し、その分発泡断熱材１０５の厚み、すなわち扉１０１の厚みを薄くでき、庫内容積を大きくすることができる利点がある。
【０００８】
しかしながら、扉１０１の厚みを薄くしたことによって縁枠１０４に凹設形成した把手部１０８の断熱性が低下し、把手部１０８に発汗が生じやすいという傾向が見られた。すなわち、把手部１０８の内面側はその一部に短冊状支持部材１０７が位置するものの、その大部分の内面部分は発泡断熱材１０５が位置しているだけであってこの発泡断熱材１０５の厚みが前記したように薄くなっているため庫内冷気によって低温化し、梅雨時等の高温高湿時に発汗するのであった。
【０００９】
本発明はこのような点に鑑みてなしたもので、扉の厚みを薄く維持したまま把手部の発汗を防止できる冷蔵庫を提供するものである。
【課題を解決するための手段】
【００１０】
本発明は上記目的を達成するため、その扉は、扉前面を構成する扉外装板と、扉外装板の内側に位置する内フレームと、前記扉外装板と内フレームとの間の外周面を構成する縁枠と、前記扉外装板と内フレームと縁枠との間の空間に充填発泡させた発泡断熱材とからなっていて、前記発泡断熱材中に真空断熱材を埋設した冷蔵庫であって、前記縁枠に発泡断熱材側へ窪ませて把手部を凹設形成するとともに、前記真空断熱材の端部を前記把手部の奥壁内面と対向する部分まで位置させた構成としてある。
【００１１】
これにより、扉は真空断熱材を設けたことによってその厚さを薄くできるとともに、把手部の奥壁内面側は真空断熱材によって強力に断熱され、庫内冷気によって低温化して発汗するようなことを未然に防止することができる。
【発明の効果】
【００１２】
本発明は、扉厚を薄く維持しつつ把手部の発汗を防止できる冷蔵庫を提供することができる。
【図面の簡単な説明】
【００１３】
【図１】本発明の実施の形態１における冷蔵庫の外観斜視図
【図２】同冷蔵庫の概略断面図
【図３】同冷蔵庫の扉の一つを示す斜視図
【図４】同冷蔵庫の扉の分解斜視図
【図５】同図３のＡ−Ａ断面図
【図６】同冷蔵庫の扉を内側から見た透視図
【図７】同図３のＢ−Ｂ断面図
【図８】従来の冷蔵庫における扉の断面図
【発明を実施するための形態】
【００１４】
第１の発明は、断熱性を有する冷蔵庫本体と扉からなり、上記扉は、扉前面を構成する扉外装板と、扉外装板の内側に位置する内フレームと、前記扉外装板と内フレームとの間の外周面を構成する縁枠と、前記扉外装板と内フレームと縁枠との間の空間に充填発泡させた発泡断熱材とからなっていて、前記発泡断熱材中に真空断熱材を埋設した冷蔵庫であって、前記縁枠に発泡断熱材側へ窪ませて把手部を凹設形成するとともに、前記真空断熱材の端部を前記把手部の奥壁内面と対向する部分まで位置させた構成としてある。
【００１５】
これにより、扉は真空断熱材を設けたことによってその厚さを薄くできるとともに、把手部の奥壁内面側は真空断熱材によって強力に断熱され、庫内冷気によって低温化して発汗するようなことを未然に防止することができる。
【００１６】
第２の発明は、第１の発明において、扉は引出レールを有するとともに、真空断熱材は斜めに配置して前記引出レールの取付金具を避けた状態でその端部が把手部の奥壁内面に位置する構成としてある。
【００１７】
これにより、引出レール付き扉であっても真空断熱材を斜めに傾斜設置したことで扉厚みを厚くすることなく引出レール取付金具を避けて真空断熱材の端部を把手部の奥壁内面側に位置させ発汗を防止することができる。
【００１８】
第３の発明は、第１または第２の発明において、把手部の奥壁内面に熱拡散層を設けた構成としてある。
【００１９】
これにより、把手部は真空断熱材で断熱しきれない部分が残ってその部分の温度が低温化するようなことがあってもこの低温は熱拡散層によって分散させることができ、局所的に低温化して発汗するようなことも防止することができる。
【００２０】
第４の発明は、第１〜第３の発明において、扉外装板はガラス板等の着色層付きの透明前板で構成するとともに発泡断熱材は発泡ウレタンとし、前記透明前板は発泡ウレタンによって接着保持してその外周部は透明前板挿入部等で覆うことなくそのまま露出状態とした構成としてある。
【００２１】
これにより、透明前板を用いたことによる高い質感を発揮させることができるとともに、透明前板を発泡ウレタンによって接着保持させて透明前板挿入部を廃止し意匠性を高めることができ、かつ、それでいて、すなわち透明前板を発泡ウレタンに接着保持させていても、真空断熱材が剛性体であるところから発泡ウレタンの経年的な熱収縮による透明前板のソリ変形等を抑制でき、透明前板特有の高い意匠性を長期間良好に維持し続け、把手部発汗のない薄型で意匠性の高い扉を有する冷蔵庫とすることができる。
【００２２】
以下、本発明の実施の形態について、図面を参照しながら説明する。なお、この実施の形態では扉外装板としてガラス板等の透明前板を用い、かつ透明前板の外周部を保持する透明前板挿入部を廃止して、意匠性を高めた冷蔵庫を例にして説明するが、これによって本発明が限定されるものではない。
【００２３】
（実施の形態１）
図１は本発明の実施の形態１における冷蔵庫の外観斜視図、図２は同冷蔵庫の概略断面図、図３は同冷蔵庫の扉の一つを示す斜視図、図４は同冷蔵庫の扉の分解斜視図、図５は同図３のＡ−Ａ断面図、図６は同冷蔵庫の扉を内側から見た透視図、図７は同図３のＢ−Ｂ断面図である。
【００２４】
図１、図２において、冷蔵庫本体１は、前方に開口する金属製（例えば鉄板）の外箱２と、硬質樹脂製（例えばＡＢＳ）の内箱３と、これら外箱２と内箱３との間に発泡充填した硬質の発泡ウレタン４からなる。上記冷蔵庫本体１はその内部に、冷蔵室５と、冷蔵室５の下に位置する切替室６及び切替室６に並設した製氷室７と、切替室６及び製氷室７の下部に位置する冷凍室８と、冷凍室８の下部に位置する野菜室９とを有する。また、前記冷蔵室５の前面は、例えば観音開き式の扉１０，１０により開閉自由に閉塞し、切替室６及び製氷室７と冷凍室８と野菜室９の前面部は引き出し式の扉１１，１２，１３，１４によって開閉自由に閉塞してある。
【００２５】
冷蔵庫本体１の背面には冷却室１６があり、冷気を生成する冷却器１７と、冷気を各室に供給する送風ファン１８とが設けてある。また、上記冷蔵庫本体１の本体天面奥部には圧縮機１９が設けてあり、コンデンサ（図示せず）と、放熱用の放熱パイプ２０と、キャピラリーチューブ２１と、前記した冷却器１７とを順次環状に接続してなる冷凍サイクルに冷媒を封入し、冷却運転を行うように構成してある。
【００２６】
ここで、上記各扉１０〜１４は冷蔵庫本体１と同様硬質のウレタンを発泡充填して断熱性を持たせてあり、更に意匠性を向上させるべくその前面をガラス板等の透明前板で構成してある。
【００２７】
以下、扉１３の場合を例にしてその構成について図３〜図７を用いて説明する。なお、扉１３以外の扉１１〜１４も基本的には同様の構成である。
【００２８】
図３〜図７において、２３は冷蔵庫本体１の内側に位置することになる内箱フレームで、例えばＡＢＳ樹脂で形成してある。２４はこの内フレーム２３の周端面に結合固定した縁枠で、ＡＢＳ樹脂で形成してある。２５は前記内フレーム２３を覆うようにその縁枠２４に積層配置したガラス板等の透明前板からなる扉外装板（以下、ガラス板と称す）で、この実施の形態では光沢のある強化ガラス板で形成してある。
【００２９】
このガラス板２５は図５、図７に示すようにその内面に接着剤２６を介して樹脂フィルム２７が貼り付けてあり、この樹脂フィルム２７に絵模様、例えばヘアーラインのような金属調模様からなる着色層２８が形成してある。これによって、前記ガラス板２５は、あたかも着色層付きのガラス板となる。前記樹脂フィルム２７はこの実施の形態では透明性
が高く機械的強度の高いポリエチレンテレフタレートを用い、着色層２８はホワイト系ではガラス板２５とは反対側面に形成し、グレー系ではガラス板２５側に形成してある。図面ではガラス板２５とは反対側面に形成した場合を示している。
【００３０】
３１は前記扉を構成する縁枠２４の上端面に下向きの凹部を凹設して形成した把手部で、図５に示す様にその奥壁３１ａ内面にはアルミテープ等の熱伝導率の良い材料からなる熱拡散層３１ｂが設けてある。なお、この熱拡散層３１ｂはアルミ粉末塗料等の熱伝導率の良い塗料を塗装するなどして構成してもよい。
【００３１】
２９は前記ガラス板２５の樹脂フィルム２７側の面と内フレーム２３と縁枠２４との間の空間に充填発泡させた硬質ウレタン等の発泡断熱材で、発泡によって内フレーム２３及び縁枠２４とともに前記ガラス板２５内面の樹脂フィルム２７に接着し、当該樹脂フィルム２７を介してガラス板２５を接着保持している。
【００３２】
また、３０は前記内フレーム２３とガラス板２５との間の発泡断熱材２９中のほぼ全域わたって埋設配置した真空断熱材で、芯材をアルミシート等の外被材で密封し真空引きして構成してあり、周知のようにその断熱性は発泡ウレタンに比べかなり高く、かつ剛性があって強度メンバーともなるものである。
【００３３】
ここで、前記扉１３は図４に示す様にその内フレーム２３の内面に引出レール取付金具２２を固着し、この引出レール取付金具２２に引出レール２２ａが取り付けてあり、前記真空断熱材３０を上記引出レール取付金具２２と非接触状態となるように位置決め保持する発泡スチロール等の支持体２２ｂが設けてある。
【００３４】
そして、前記真空断熱材３０は図５に示す様に発泡断熱材２９中に斜めに傾斜した状態で配置し、その上端部が前記扉の把手部３１の奥壁３１ａ内面側と対向するように設けてある。
【００３５】
なお、この実施の形態では前記内フレーム２３の縁枠２４はガラス板の２５の外周部に嵌合してこれを保持するようなガラス板挿入部を有しておらず、前記ガラス板２５はその外周部をそのまま露出させた構成としてある。更に上記ガラス板２５はその外周縁を図７に示すように縁枠２４の端面２４ａより若干内側に位置させた構成としてある。
【００３６】
また、上記把手部３１はその奥壁３１ａを扉端縁Ｘに行くほど扉内側へ位置するような傾斜面としてある。
【００３７】
さらにこの実施の形態では、ガラス板２５の外周部を保持するガラス板挿入部を廃止したことにより懸念されるガラス板２５の接着保持を確実化する構成を備えており、以下その構成を説明する。
【００３８】
まず、前記ガラス板２５は既述した通り着色層２８を形成した樹脂フィルム２７を接着剤２６によって貼り付けることにより着色ガラス板としてある。そして、前記樹脂フィルム２７の発泡ウレタン側の面には易接着層３２を形成し、この易接着層３２を介して発泡断熱材２９と接着した構成としてある。上記易接着層３２は樹脂フィルム２７の表面をコロナ処理やプラズマ処理を施したり、ポリエステル系やウレタン系の接着剤を塗布して、形成することができる。この実施の形態ではポリエステル系接着剤を塗布して構成してある。
【００３９】
また、前記ガラス板２５の樹脂フィルム２７側の面と内フレーム２３と縁枠２４との間の空間に充填発泡させた発泡断熱材２９は、その発泡密度をガラス板２５の中央部分より
外周部分の方を高く設定してある。
【００４０】
以上のように構成した上記冷蔵庫の扉１３は、発泡断熱材２９中に真空断熱材３０を有していて、当該真空断熱材３０はその端部が把手部３１の奥壁３１ａ内面と対向する部分まで位置しているから、扉１３は真空断熱材３０を設けたことによってその厚さを薄くできるとともに、把手部３１の奥壁内面は真空断熱材３０によって強力に断熱され、庫内冷気によって低温化して発汗するようなことを防止することができる。
【００４１】
特に上記真空断熱材３０は斜めに配置してあるから、扉１３に設けてある引出レール取付金具２２を避けた状態でその端部が前記把手部３１の奥壁３１ａ内面と対向するようにすることができ、扉厚を厚くすることなく把手部３１における発汗を防止することができる。すなわち、真空断熱材３０を斜めに配置することなくガラス板２５に沿って垂直に配置し把手部３１の奥壁３１ａ内面に位置する様にすると、真空断熱材３０が引出レール取付金具２２に接触するためこの接触を避けるべく扉厚を厚くする必要が生じてくる。しかしながら、本発明のように真空断熱材３０を斜め設置することによって、真空断熱材３０を引出レール取付金具２２に接触させることなくその上端部を把手部３１の奥壁３１ａ内面に位置させることができ、扉厚が厚くなるのを抑制できるのである。よって、引出レール付き扉であっても真空断熱材３０を斜めに傾斜設置したことによって扉厚を厚くすることなく引出レール取付金具２２を避けて真空断熱材３０の端部を把手部３１の奥壁３１ａ内面側に位置させ発汗を防止することができる。
【００４２】
また、前記把手部３１の奥壁３１ａ内面にはアルミテープ等の熱拡散層３１ｂが設けてあるから、真空断熱材３０で断熱しきれない部分が把手部３１に残ってその部分の温度が庫内冷気の影響を受けて低温化するようなことがあっても、この低温は熱拡散層３１ｂによって分散させることができる。したがって、把手部３１の一部が局所的に低温化して発汗するようなことも防止することができる。
【００４３】
また、この実施の形態では扉外装版をガラス板２５で構成してあるから、質感が向上するとともに、前記ガラス板２５の着色層２８は樹脂フィルム２７に形成しているので、ガラス板に直接着色層をシルク印刷するものでは不良率が高くて実質的には得られなかったようなヘアーライン等の精細な模様も形成できて、その意匠性を格段に向上させることができる。
【００４４】
しかも、この扉は、ガラス板２５を発泡断熱材２９のウレタンによる接着力によって接着保持することにより、ガラス板周縁部を覆うガラス板挿入部等を廃止しているので、ガラス板挿入部があるもののように扉表面に突出部が存在して意匠性を損なうことがなく、全面フラット感のあるすっきりとした外観にすることができる。また、ガラス板挿入部とガラス板との間の境界部にほこりや塵埃等が付着堆積してこれが線状に目立ちやすいが、このようなこともなく、長期間に亘って初期の高い意匠性をそのまま維持することができる。
【００４５】
一方、前記ガラス板２５は比熱が大きく、発泡断熱材２９や内フレーム２３からの伝熱により一旦冷却されると、高湿の外気や扉開閉時の冷気と接触して結露を生じ発汗し易くなる独自の課題があるが、真空断熱材３０によって伝熱遮断され、把手部同様発汗を防止できる。
【００４６】
また、上記真空断熱材３０は剛性が高いので、発泡断熱材２９が多少熱収縮を起こしてもこれに抗して扉全体のソリ変形を確実に防止するとともに、扉全体の強度をも向上させることになり、よりソリ変形の少ない扉とすることができる。しかもこの真空断熱材３０は、扉の断熱性も大きく向上させて、その分、扉の厚み、すなわち発泡断熱材２９の厚み
を薄くして、当該発泡ウレタンの熱収縮力を抑え、ガラス板２５のソリ変形をなくすることに貢献する。
【００４７】
更に、前記把手部３１の奥壁３１ａは扉端縁Ｘに行くほど扉内側へ位置するような傾斜面としてあるから、発泡断熱材２９が熱収縮によって若干のソリ変形を起こして把手部３１が変形しても、その変形は扉端縁Ｘに行くほど扉内側に変形する、すなわち、把手部３１の奥壁３１ａの傾斜面の傾斜と同方向に変形するものとなるから、ほとんど目立たないものとなり、意匠性を損なうほどのことはなくなり、長期間に亘って良好な意匠性を維持できる。
【００４８】
加えてこの実施の形態では、発泡断熱材２９の発泡密度をガラス板２５の中央部分より外周部分の方が高くなるようにしてあるから、発泡断熱材２９の接着力はガラス板２５の外周部分のほうが強くなる。これにより、ガラス板２５の樹脂フィルム２７と発泡断熱材２９との接着力を長期間に亘ってより確実に維持保障することができる。
【００４９】
すなわち、冷蔵庫は内部と外部で温度差が激しく、扉の開閉時に内部からの冷気によって扉のガラス板２５端部は結露や激しい温度変化の影響を受ける。また、使用者の使い方によっては、開閉時に激しい衝撃を扉に与えたり、収納物の出し入れ時にガラス板２５を含む扉に水や汁を溢す使用実態となる。そして、このような冷蔵庫特有の使用環境・実態によってガラス板２５の端部は当該ガラス板端部を覆うガラス板挿入部が無いと発泡断熱材２９から剥がれやすい環境となっている。
【００５０】
しかしながら、この実施の形態では、ガラス板２５の端部、すなわち、周囲部は発泡断熱材２９の発泡密度が高い、すなわちごく微細に発泡しているウレタンスキン層との接着となっていて、発泡断熱材２９とガラス板２５の樹脂フィルム２７との接着密度は高く強固なものとなっている。したがって、長期間の使用に際してもガラス板２５の樹脂フィルム２７と発泡断熱材２９との接着は確保され、長期間フィルム付きガラス板２５の接着強度を維持保障することができ、信頼性を確保できるのである。
【００５１】
加えてこの実施の形態では、樹脂フィルム２７の発泡断熱材２９との密着面に易接着層３２を形成してあるから、樹脂フィルム２７と発泡断熱材２９との接着強度がより高いものとなり、発泡断熱材２９からの樹脂フィルム２７、ひいてはガラス板２５の剥離をより確実に防止することができ、長期間フィルム付きガラス板２５の接着強度を維持保障することができる。
【００５２】
特にこの実施の形態で例示したように、樹脂フィルム２７としてポリエチレンテレフタレートを用い、かつ、易接着層３２をウレタン系ポリエステル系の接着剤とすると、その接着強度は強力なものとなる。よって、長期間の使用に際してもガラス板２５の樹脂フィルム２７と発泡断熱材２９との接着を確保し、長期間フィルム付きガラス板２５の接着強度を維持保障することができるのである。
【００５３】
また、前記樹脂フィルム２７と発泡断熱材２９との接着面はミクロ的に見ると発泡ウレタンのスキン層と樹脂フィルム２７とが接着しており、このようなスキン層と樹脂フィルム２７とはその双方の表面が滑面となっているため、剥がれかけると一気に剥がれてしまう危険性がある。特に、ガラス板外周部分の発泡密度を高めてその接着面をスキン層とした場合にあってはガラス板外周部分で剥がれが広がってしまう恐れがある。
【００５４】
しかしながら、この実施の形態では前記したように樹脂フィルム２７の発泡断熱材２９との密着面に易接着層３２を形成してあるから、樹脂フィルム２７と発泡断熱材２９との接着強度が強化され、前記したような発泡ウレタンスキン層と樹脂フィルム２７との剥が
れの広がりを防止できる。よって、ガラス板内面の樹脂フィルム２７と発泡断熱材２９との接着強度を長期間に亘って維持保障することができ、更に信頼性の高いものとすることができる。
【００５５】
上記、ガラス板２５と発泡断熱材２９との接着力は寿命加速試験を行った結果、その接着力は１．０ｇ／ｃｍ２以上、好ましくは２．６ｇ／ｃｍ２以上とすることにより、発泡断熱材２９の熱収縮等の経年変化による接着力劣化があっても確実に樹脂フィルム２７と発泡断熱材２９との接着強度を保障することができ、ひいてはガラス板２５の接着強度を長期間に亘って維持保障することができて、信頼性の高いものとすることができた。なお、上記接着力の測定方法は、接着剤の重ね合わせせん断接着強さの標準的な測定方法である「ＪＩＳ  Ｋ  ６８５０（接着剤−剛性被着材の引張せん断  接着強さ試験方法）」に基づく。
【００５６】
また、上記ガラス板２５はその外周縁が縁枠２４の端面２４ａより若干内側に位置する構成としてあるから、このガラス板２５の外周縁を縁枠２４の端面２４ａが保護することになる。よって、例えば生産ラインでの扉搬送時やユーザ宅における扉交換サービス時にガラス板２５の外周縁が何らかの物に当たって割れたりするようなことを防止することもできる。
【００５７】
また、仮にガラス板２５に何らかの外力が加わって万が一割れることがあっても、このガラス板片は樹脂フィルム２７に接着していて飛散を防止されることになり、万が一のときの安全性も向上する。
【００５８】
なお、ガラス板の接着保持をさらに確実なものとすべくガラス板２５の樹脂フィルム２７と内フレーム２３の縁枠２４とを更に両面テープによって接着することも考えられる。
【００５９】
以上、本発明の実施形態を説明したが、上記実施の形態は本発明を実施するうえでの一例として示したものであり、本発明の目的を達成する範囲内で種々変更可能であることは言うまでもない。
【００６０】
例えば、把手部３１は扉の縁枠２４の下端面に上向きの凹部を凹設して形成したものを例示したが、これは扉の上端面あるいは横端面であってもよいものである。
【００６１】
また、扉外装板としてガラス板を例示したが、これは透明な樹脂板であってもよく、これによって軽量化による接着強度の更なる保障が可能となり、しかも低コスト化を図ることができる。もちろん金属板等であってもよいものである。
【産業上の利用可能性】
【００６２】
以上のように本発明は、扉厚を薄く維持しつつ把手部の発汗を防止でき、一般用はもちろん業務用の冷蔵庫やワインクーラーにも幅広く適用できる。
【符号の説明】
【００６３】
１  冷蔵庫本体
２  外箱
３  内箱
４  発泡ウレタン
５  冷蔵室
６  切替室
７  製氷室
８  冷凍室
９  野菜室
１０，１１，１２，１３，１４  扉
１６  冷却室
１７  冷却器
１８  送風ファン
１９  圧縮機
２０  放熱パイプ
２１  キャピラリーチューブ
２２  引出レール取付金具
２２ａ  引出レール
２２ｂ  支持体
２３  内フレーム
２４  縁枠
２４ａ  端面
２４ｂ  透明前板支持片（ガラス板支持片）
２５  透明前板（ガラス板）
２６  接着剤
２７  樹脂フィルム
２８  着色層
２９  発泡断熱材
３０  真空断熱材
３１  把手部
３１ａ  奥壁
３１ｂ  熱拡散層
３２  易接着層
３３  両面テープ
【図１】
2015052404.tif 000003
【図２】
2015052404.tif 000004
【図３】
2015052404.tif 000005
【図４】
2015052404.tif 000006
【図５】
2015052404.tif 000007
【図６】
2015052404.tif 000008
【図７】
2015052404.tif 000009
【図８】
2015052404.tif 000010